(57)【要約】  ａ）１種または複数の、特定のアルコールエトキシレート５〜５０重量％、ｂ）１種または複数の、特定のＮ−メチルグルカミド１５〜５０重量％、およびｃ）水２５〜４５重量％を含む組成物が記載されている。組成物は、温度２０℃で、ゲル形態で、またはペースト形態で、さらに、例えばモノドース製品の形態で存在することができ、洗浄、芳香、または消毒の目的で、好ましくはホームケア用途またはパーソナルケア用途で好適である。【特許請求の範囲】
【請求項１】
ａ）式（Ｉ）の、１種または複数のアルコールエトキシレート５〜５０重量％、好ましくは２０〜５０重量％
Ｒ１−Ｏ−（ＣＨ２ＣＨ２Ｏ）ｎ−Ｈ（Ｉ）
（式中、
Ｒ１は、１２〜２２個の、好ましくは１２〜２０個の、より好ましくは１６〜１８個の炭素原子を含む、直鎖状もしくは分枝鎖状の、好ましくは直鎖状の、飽和アルキル基、または１２〜２２個の、好ましくは１２〜２０個の、より好ましくは１６〜１８個の炭素原子を含む、直鎖状もしくは分枝鎖状の、好ましくは直鎖状の、モノ不飽和もしくはポリ不飽和のアルケニル基であり、
それによって、式（Ｉ）の、それぞれの前記アルコールエトキシレートの基盤となるアルコールＲ１−ＯＨが、３０〜１３５ｇ（Ｊ２）／アルコールＲ１−ＯＨ１００ｇ、好ましくは３６〜１２０ｇ（Ｊ２）／アルコールＲ１−ＯＨ１００ｇのヨウ素価を有し、
ｎは、モル平均で、４〜５０、好ましくは５〜２５の数である）
ｂ）式（ＩＩ）の、１種または複数のＮ−メチルグルカミド１５〜５０重量％、好ましくは１７〜４４重量％
【化１】
2019528339.tif 000005
（式中、
Ｒは、７〜２１個の、好ましくは７〜１７個の炭素原子を含む、直鎖状もしくは分枝鎖状の、好ましくは直鎖状の、飽和アルキル基、または７〜２１個の、好ましくは７〜１７個の炭素原子を含む、直鎖状もしくは分枝鎖状の、好ましくは直鎖状の、モノ不飽和もしくはポリ不飽和のアルケニル基であり、
それによって、式（ＩＩ）の、それぞれの前記Ｎ−メチルグルカミドの基盤となる脂肪酸Ｒ−ＣＯＯＨの、少なくとも２５．０ｗｔ．−％で、好ましくは少なくとも５０．０ｗｔ．−％で、より好ましくは少なくとも６５．０ｗｔ．−％で、さらにより好ましくは少なくとも８０．０ｗｔ．−％で、Ｒが、１１〜２１個の、好ましくは１１〜１７個の炭素原子を含む、直鎖状もしくは分枝鎖状の、好ましくは直鎖状の、飽和アルキル基、または１１〜２１個の、好ましくは１１〜１７個の炭素原子を含む、直鎖状もしくは分枝鎖状の、好ましくは直鎖状の、モノ不飽和もしくはポリ不飽和のアルケニル基である）
ｃ）水２５〜４５重量％、好ましくは３０〜４５重量％
を含む組成物であって、
成分ａ）である式（Ｉ）の前記１種または複数のアルコールエトキシレートの量、成分ｂ）である式（ＩＩ）の前記１種または複数のＮ−メチルグルカミドの量および成分ｃ）である水の量が、前記組成物の全重量に基づく、
組成物。
【請求項２】
成分ａ）である式（Ｉ）の前記１種または複数のアルコールエトキシレート２０〜４０重量％、成分ｂ）である式（ＩＩ）の前記１種または複数のＮ−メチルグルカミド２１〜２９重量％および成分ｃ）である水３３〜４５重量％を含み、成分ａ）である式（Ｉ）の前記１種または複数のアルコールエトキシレートの量、成分ｂ）である式（ＩＩ）の前記１種または複数のＮ−メチルグルカミドの量および成分ｃ）である水の量が、前記組成物の全重量に基づくことを特徴とする、請求項１に記載の組成物。
【請求項３】
成分ａ）である式（Ｉ）の前記１種または複数のアルコールエトキシレートのＲ１が、アルキル基セチルおよびアルケニル基オレイルの混合物からなる群から選択されることを特徴とする、請求項１または２に記載の組成物。
【請求項４】
成分ａ）である式（Ｉ）のそれぞれの前記アルコールエトキシレートの基盤となるアルコールＲ１−ＯＨが、３７〜１０５ｇ（Ｊ２）／アルコールＲ１−ＯＨ１００ｇ、好ましくは５０〜９５ｇ（Ｊ２）／アルコールＲ１−ＯＨ１００ｇ、より好ましくは６０〜７５ｇ（Ｊ２）／アルコールＲ１−ＯＨ１００ｇのヨウ素価を有することを特徴とする、請求項１〜３のいずれか一つに記載の組成物。
【請求項５】
成分ａ）である式（Ｉ）の前記１種または複数のアルコールエトキシレートにおいて、ｎが、モル平均で、８〜２２の数であることを特徴とする、請求項１〜４のいずれか一つに記載の組成物。
【請求項６】
成分ａ）である式（Ｉ）の前記１種または複数のアルコールエトキシレートにおいて、ｎが、モル平均で、１０〜２０の数であることを特徴とする、請求項５に記載の組成物。
【請求項７】
成分ｂ）である式（ＩＩ）の前記１種または複数のＮ−メチルグルカミドにおいて、ＲＣＯが、７〜１７個の炭素原子を有する直鎖状飽和アルキル基Ｒと１７個の炭素原子を有する直鎖状のモノ不飽和もしくはポリ不飽和の、好ましくはモノ不飽和の、アルケニル基Ｒとを含むアシル基であることを特徴とする、請求項１〜６のいずれか一つに記載の組成物。
【請求項８】
成分ｂ）である式（ＩＩ）の前記１種または複数のＮ−メチルグルカミドにおいて、ＲＣＯがココイル基であることを特徴とする、請求項１〜７のいずれか一つに記載の組成物。
【請求項９】
防腐剤、抗菌成分、酵素、移染防止剤、ソイルリリースポリマー、カチオン性界面活性剤、アニオン性界面活性剤、両性界面活性剤、プロピレングリコール、グリセロール、染料、顔料および香料からなる群から選択される１種または複数の物質を含むことを特徴とする、請求項１〜８のいずれか一つに記載の組成物。
【請求項１０】
プロピレングリコールおよびグリセロールからなる群から選択される１種または複数の物質を含むことを特徴とする、請求項１〜９のいずれか一つに記載の組成物。
【請求項１１】
温度２０℃で固体であることを特徴とする、請求項１〜１０のいずれか一つに記載の組成物。
【請求項１２】
温度２０℃でゲル形態でまたはペースト形態で、好ましくはゲル形態で存在することを特徴とする、請求項１〜１１のいずれか一つに記載の組成物。
【請求項１３】
温度２０℃およびせん断応力１０００Ｐａで測定された粘度が、１０〜１０００００Ｐａ・ｓ、好ましくは１０〜２５０００Ｐａ・ｓであることを特徴とする、請求項１〜１２のいずれか一つに記載の組成物。
【請求項１４】
モノドース製品の形態で、好ましくはモノドース製品の形態で、および温度２０℃でゲル形態で存在することを特徴とする、請求項１〜１３のいずれか一つに記載の組成物。
【請求項１５】
温度２０〜４０℃の水中での平均溶解速度が、１〜１００ｍｇ／分、好ましくは１０〜８０ｍｇ／分であることを特徴とする、請求項１〜１４のいずれか一つに記載の組成物。
【請求項１６】
垂直面に、好ましくはセラミックス、プラスチックまたはステンレス鋼でつくられた垂直面に、粘着することを特徴とする、請求項１〜１５のいずれか一つに記載の組成物。
【請求項１７】
水ですすぐかまたは洗い流したときに泡を生じることを特徴とする、請求項１〜１６のいずれか一つに記載の組成物。
【請求項１８】
好ましくは、温度２０℃でゲル形態でまたはペースト形態で、より好ましくはゲル形態で存在する請求項１〜１７のいずれか一つに記載の組成物であって、前記組成物の前記成分ａ）、ｂ）およびｃ）を、温度４５〜８０℃で、好ましくは５０〜７５℃で、好ましくは混合しながら、均一な溶融物が得られるまで加熱し、その後、前記均一な溶融物を温度２０〜４０℃まで冷却することによって得られることを特徴とする、組成物。
【請求項１９】
好ましくは、温度２０℃でゲル形態でまたはペースト形態で、より好ましくはゲル形態で存在する請求項１８に記載の組成物であって、成分ａ）、ｂ）およびｃ）に加えて１種または複数の追加の物質を含み、前記１種または複数の追加の物質を、成分ａ）、ｂ）およびｃ）を加熱する前もしくは加熱する間、または前記均一な溶融物を冷却する間のいずれかで添加することによって得られることを特徴とする、組成物。
【請求項２０】
好ましくはホームケア用途またはパーソナルケア用途における、洗浄、芳香または消毒目的のための、請求項１〜１９のいずれか一つに記載の組成物の使用。
【請求項２１】
好ましくは、温度２０℃でゲル形態でまたはペースト形態で、より好ましくはゲル形態で存在する請求項１〜１９のいずれか一つに記載の組成物を調製する方法であって、前記組成物の、成分ａ）、ｂ）およびｃ）を、温度４５〜８０℃で、好ましくは５０〜７５℃で、好ましくは混合しながら、均一な溶融物が得られるまで加熱し、その後、前記均一な溶融物を温度２０〜４０℃まで冷却することを特徴とする、方法。
【請求項２２】
成分ａ）、ｂ）およびｃ）に加えて１種または複数の追加の物質を含み、好ましくは、温度２０℃でゲル形態でまたはペースト形態で、より好ましくはゲル形態で存在する請求項１〜１９のいずれか一つに記載の組成物を調製することを特徴とし、前記方法において、成分ａ）、ｂ）およびｃ）に加えた前記１種または複数の追加の物質を、成分ａ）、ｂ）およびｃ）を加熱する前もしくは加熱する間、または前記均一な溶融物を冷却する間のいずれかで添加することを特徴とする、請求項２１に記載の方法。
【発明の詳細な説明】
【技術分野】
【０００１】
本発明は、特定のアルコールエトキシレート、特定のＮ−メチルグルカミド、および水を含む組成物、これらの本発明の組成物の、洗浄、芳香、または消毒の目的での使用、ならびにこれらの本発明の組成物を調製する方法に関する。
【背景技術】
【０００２】
洗剤および洗浄剤は、一般に、噴霧乾燥製品もしくは粒状製品として、または液体形態として存在するが、成長している高級セグメントの新しい傾向、および使い易い投与のその他の可能性に対する消費者の願望に追従して、洗剤および洗浄剤の新しい形式の探求が著しく増している。
【０００３】
近年、モノドース（ｍｏｎｏｄｏｓｅ）製品は、衛生用途などのホームケア用途、例えば、ボウル内トイレクリーナー（ｉｎ−ｂｏｗｌ  ｔｏｉｌｅｔ  ｃｌｅａｎｅｒ）、自動食器洗い、または洗濯の用途においてかなり普及している。モノドース製品は、しばしば、粉末、液体、またはゲルを含んだタブレットまたはポーチとして存在する。しかし、このモノドース製品の、特にゲルの化学組成は、極めて複雑であることが多く、増粘剤などの物質を必要とする。また、これによってその製造の複雑さが増し、製造に関わる費用も高くなる。
【発明の概要】
【発明が解決しようとする課題】
【０００４】
本発明の目的は、温度２０℃で、ゲル形態で、またはペースト形態で、さらに例えば、モノドース形式で存在することができ、好ましくはホームケア用途またはパーソナルケア用途において、洗浄、芳香、または消毒の目的に好適である、新規の組成物を提供することである。
【課題を解決するための手段】
【０００５】
意外なことに、この目的は、
ａ）式（Ｉ）の、１種または複数のアルコールエトキシレート５〜５０重量％、好ましくは２０〜５０重量％
Ｒ１−Ｏ−（ＣＨ２ＣＨ２Ｏ）ｎ−Ｈ（Ｉ）
（式中、
Ｒ１は、１２〜２２個の、好ましくは１２〜２０個の、より好ましくは１６〜１８個の炭素原子を含む、直鎖状もしくは分枝鎖状の、好ましくは直鎖状の、飽和アルキル基、または１２〜２２個の、好ましくは１２〜２０個の、より好ましくは１６〜１８個の炭素原子を含む、直鎖状もしくは分枝鎖状の、好ましくは直鎖状の、モノ不飽和もしくはポリ不飽和のアルケニル基であり、
それによって、式（Ｉ）の、それぞれのアルコールエトキシレートの基盤となるアルコールＲ１−ＯＨが、３０〜１３５ｇ（Ｊ２）／アルコールＲ１−ＯＨ１００ｇ、好ましくは３６〜１２０ｇ（Ｊ２）／アルコールＲ１−ＯＨ１００ｇのヨウ素価を有し、
ｎは、モル平均で、４〜５０、好ましくは５〜２５の数である）
ｂ）式（ＩＩ）の、１種または複数のＮ−メチルグルカミド１５〜５０重量％、好ましくは１７〜４４重量％
【０００６】
【化１】
2019528339.tif 000002
（式中、
Ｒは、７〜２１個の、好ましくは７〜１７個の炭素原子を含む、直鎖状もしくは分枝鎖状の、好ましくは直鎖状の、飽和アルキル基、または７〜２１個の、好ましくは７〜１７個の炭素原子を含む、直鎖状もしくは分枝鎖状の、好ましくは直鎖状の、モノ不飽和もしくはポリ不飽和のアルケニル基であり、
それによって、式（ＩＩ）の、それぞれのＮ−メチルグルカミドの基盤となる脂肪酸Ｒ−ＣＯＯＨの、少なくとも２５．０ｗｔ．−％で、好ましくは少なくとも５０．０ｗｔ．−％で、より好ましくは少なくとも６５．０ｗｔ．−％で、さらにより好ましくは少なくとも８０．０ｗｔ．−％で、Ｒが、１１〜２１個の、好ましくは１１〜１７個の炭素原子を含む、直鎖状もしくは分枝鎖状の、好ましくは直鎖状の、飽和アルキル基、または１１〜２１個の、好ましくは１１〜１７個の炭素原子を含む、直鎖状もしくは分枝鎖状の、好ましくは直鎖状の、モノ不飽和もしくはポリ不飽和のアルケニル基である）
ｃ）水２５〜４５重量％、好ましくは３０〜４５重量％
を含む組成物であって、
成分ａ）である、式（Ｉ）の、１種または複数のアルコールエトキシレートの量、成分ｂ）である、式（ＩＩ）の、１種または複数のＮ−メチルグルカミドの量、および成分ｃ）である水の量が、組成物の全重量に基づく、
組成物で解決することができることが明らかになった。
【０００７】
したがって、本発明の主題は、
ａ）式（Ｉ）の、１種または複数のアルコールエトキシレート５〜５０重量％、好ましくは２０〜５０重量％
Ｒ１−Ｏ−（ＣＨ２ＣＨ２Ｏ）ｎ−Ｈ（Ｉ）
（式中、
Ｒ１は、１２〜２２個の、好ましくは１２〜２０個の、より好ましくは１６〜１８個の炭素原子を含む、直鎖状もしくは分枝鎖状の、好ましくは直鎖状の、飽和アルキル基、または１２〜２２個の、好ましくは１２〜２０個の、より好ましくは１６〜１８個の炭素原子を含む、直鎖状もしくは分枝鎖状の、好ましくは直鎖状の、モノ不飽和もしくはポリ不飽和のアルケニル基であり、
それによって、式（Ｉ）の、それぞれのアルコールエトキシレートの基盤となるアルコールＲ１−ＯＨが、３０〜１３５ｇ（Ｊ２）／アルコールＲ１−ＯＨ１００ｇ、好ましくは３６〜１２０ｇ（Ｊ２）／アルコールＲ１−ＯＨ１００ｇのヨウ素価を有し、
ｎは、モル平均で、４〜５０、好ましくは５〜２５の数である）
ｂ）式（ＩＩ）の、１種または複数のＮ−メチルグルカミド１５〜５０重量％、好ましくは１７〜４４重量％
【０００８】
【化２】
2019528339.tif 000003
（式中、
Ｒは、７〜２１個の、好ましくは７〜１７個の炭素原子を含む、直鎖状もしくは分枝鎖状の、好ましくは直鎖状の、飽和アルキル基、または７〜２１個の、好ましくは７〜１７個の炭素原子を含む、直鎖状もしくは分枝鎖状の、好ましくは直鎖状の、モノ不飽和もしくはポリ不飽和のアルケニル基であり、
それによって、式（ＩＩ）の、それぞれのＮ−メチルグルカミドの基盤となる脂肪酸Ｒ−ＣＯＯＨの、少なくとも２５．０ｗｔ．−％で、好ましくは少なくとも５０．０ｗｔ．−％で、より好ましくは少なくとも６５．０ｗｔ．−％で、さらにより好ましくは少なくとも８０．０ｗｔ．−％で、Ｒが、１１〜２１個の、好ましくは１１〜１７個の炭素原子を含む、直鎖状もしくは分枝鎖状の、好ましくは直鎖状の、飽和アルキル基、または１１〜２１個の、好ましくは１１〜１７個の炭素原子を含む、直鎖状もしくは分枝鎖状の、好ましくは直鎖状の、モノ不飽和もしくはポリ不飽和のアルケニル基である）
ｃ）水２５〜４５重量％、好ましくは３０〜４５重量％
を含む組成物であって、
成分ａ）である、式（Ｉ）の、１種または複数のアルコールエトキシレートの量、成分ｂ）である、式（ＩＩ）の、１種または複数のＮ−メチルグルカミドの量、および成分ｃ）である水の量が、組成物の全重量に基づく、
組成物である。
【発明を実施するための形態】
【０００９】
本発明の組成物は、様々な残基Ｒ１を有しおよび／または様々なエトキシル化度を有する成分ａ）の式（Ｉ）様々なアルコールエトキシレート分子を含むことができる。さらに、本発明の組成物は、様々な残基Ｒを有する式（ＩＩ）の様々なＮ−メチルグルカミド分子を含むことができる。
【００１０】
式（ＩＩ）の、それぞれのＮ−メチルグルカミドの基盤となる脂肪酸Ｒ−ＣＯＯＨの、少なくとも２５．０ｗｔ．−％で、好ましくは少なくとも５０．０ｗｔ．−％で、より好ましくは少なくとも６５．０ｗｔ．−％で、さらにより好ましくは少なくとも８０．０ｗｔ．−％で、Ｒが、１１〜２１個の、好ましくは１１〜１７個の炭素原子を含む、直鎖状もしくは分枝鎖状の、好ましくは直鎖状の、飽和アルキル基、または１１〜２１個の、好ましくは１１〜１７個の炭素原子を含む、直鎖状もしくは分枝鎖状の、好ましくは直鎖状の、モノ不飽和もしくはポリ不飽和のアルケニル基であると示した、前述の量は、本発明の組成物の成分ｂ）である、式（ＩＩ）の、１種または複数のＮ−メチルグルカミドの基盤となる、脂肪酸Ｒ−ＣＯＯＨの全量に基づく。
【００１１】
式（Ｉ）のアルコールエトキシレートおよび式（ＩＩ）のＮ−メチルグルカミドは、当分野の技術者に周知の方法によって調製することができるか、または市販されている。
【００１２】
ＷＯ２０１０／０２２９７５Ａ２において、水、およびａ）１〜５０％の範囲の非イオン性界面活性剤、ｂ）２０〜５０％の範囲のカチオン性界面活性剤またはカチオン性界面活性剤の会合体、およびｃ）場合により両性界面活性剤によって構成される、ゲル表面活性剤組成物は、硬表面洗浄、衣服および食器の洗浄に好適であると説明され、家庭での用途、施設での用途、および／または産業用途で用いることができる。
【００１３】
ＷＯ２０１２／１１３６７１Ａ１には、トイレの洗浄および／または芳香のための、ゲル形態またはペースト形態の粘着性組成物が開示されており、粘着性組成物は、トイレのセラミックスの内側に付着させ、数回流す操作をした後洗い流され、アルキルポリグリコシド、アンホ酢酸塩、アンホ二酢酸塩、ベタイン、脂肪アルコールエーテルカルボン酸、脂肪酸サルコシン酸塩、コカミドプロピルアミンオキシド、アミノプロピオン酸塩、および生物界面活性剤からなる群からの、少なくとも１種の界面活性剤、香水および水、また粘着促進剤としてポリイソブテンコハク酸のエステルを含み、さらなる粘着促進剤および界面活性剤を含まない。
【００１４】
ＷＯ０２／２６９２５Ａ１には、洗浄および／または消毒および／または香料放出のための衛生製品が記載されている。上記製品は、衛生対象物に直接適用してそこに粘着させることができ、多くの洗い流すプロセスの後でのみ取り除かれうる。その製品は、水；アニオン性および／または非イオン性および／または両性の界面活性剤；ポリアルコキシアルカン、アルギン酸塩、ジウレタン、ゼラチン、ペクチン、オレイルアミン（ｏｌｅｙａｍｉｎｅ）、アルキルジメチルアミノキシド、ステアリン酸塩、スルホン酸塩、硫酸塩、および炭酸塩からなる群からの、１種の粘着剤；少なくとも１種の、脂肪族の、ジヒドロキシ化合物、オリゴヒドロキシ化合物、もしくはポリヒドロキシ化合物、またはそれらのエーテル；場合により他の標準の構成成分、例えば、増粘剤、染料、防腐剤、および香料を含む。その製品の粘度は、Ｈａａｋｅ粘度計（コーン／プレートシステム、センサーＰＫ５１°）によって、せん断勾配２５ｓ−１で、および室温で、少なくとも１５，０００ｍＰａ・ｓであると測定される。
【００１５】
ＷＯ９９／６６０１７には、洗浄および／または消毒および／または臭気剤放出のための衛生剤が開示されており、上記薬剤は、粘着促進剤、水、アニオン性および／または非イオン性および／または両性の表面活性剤、場合により、さらに一般的な構成成分、例えば、臭気剤、増粘剤、着色剤、および防腐剤を含む。粘着促進剤は、少なくとも一部親水性である、超長鎖の有機分子、または長鎖の有機分子の群から選択される。粘着促進剤の親水性部分は、水が存在する状態で、水分子と少なくとも一部相互作用し、「粘着性」になり、その結果、薬剤を、少量の水が存在する状態で、衛生対象物に直接適用することができ、それに粘着させることができる。薬剤の粘度は、少なくとも１５，０００ｍＰａ・ｓであり、その製品は、数多く洗い流した後でのみ完全に洗い落とすことができる。ＷＯ９９／６６０１７はまた、薬剤を洗浄される衛生対象物の表面に直接適用し、上記表面に粘着させる、衛生薬剤を適用する方法にも関連する。
【００１６】
ＷＯ９９／２４５４９には、Ａ）圧縮体部分に少なくとも１つの型を有する圧縮固形体部分、ならびにＢ）圧縮体部分の型に一体化してのせた、非圧縮のゲル状部分を含む洗剤タブレットであって、ゲル状部分が増粘剤系および少なくとも１種の洗剤活性分を含む、洗剤タブレットが記載されている。増粘剤系は、好ましくは非水希釈剤およびゲル化剤を含み、洗剤活性分は、好ましくは、酵素、界面活性剤、起泡剤、漂白剤、銀ケア剤、ビルダー、およびそれらの混合物からなる群から選択される。
【００１７】
本発明は、特に、任意の増粘剤系または硬化剤系を添加することを必要とせず、所定の量の、式（Ｉ）のアルコールエトキシレート、式（ＩＩ）のＮ−メチルグルカミド、および水の会合によって得られる、ゲルまたはペーストの材料に関する。
【００１８】
本発明の組成物において、式（Ｉ）のアルコールエトキシレートと式（ＩＩ）のＮ−メチルグルカミドの組み合わせによって、好ましくは、意外なほど高粘度の均一なゲルがもたらされる。
【００１９】
ゲルの態様は、所定の量の、式（Ｉ）のアルコールエトキシレート、式（ＩＩ）のＮ−メチルグルカミド、および水の会合によってもたらされ、クリーナー、消毒用媒体、洗濯用洗剤、柔軟剤、および消臭剤の製品で活用することができる。この特性により、洗剤製造者にとって、洗剤タブレット、トイレブロック、ゲル洗剤、および同種のものの製造の、高度に精密な、費用のかかる工程が不要になる。また、この特性により、増粘剤系または硬化剤系、典型的にはポリマー性ゲル化添加剤、例えば、多糖類、ポリエチレングリコール、またはポリアクリル酸ポリマーの使用が不要になる。さらに、審美的に、この材料の態様によって、洗剤製造者が、最終消費者に魅力的のある、革新的なデザインを開発することが可能になり、様々な形式の選択肢がもたらされる。
【００２０】
本発明の組成物は、周囲条件、すなわち４０〜６０％ｒ．ｈ．（相対湿度）および温度２４℃での、極めて良好な保存安定性で注目される。ゲル形態の、本発明の組成物は、柔らかく、容易に変形可能である。
【００２１】
本発明のゲル界面活性剤組成物は、好ましくは透明である。
【００２２】
本発明の組成物は、特に垂直面に対する、有利な粘着特性を有する。さらに、本発明の組成物は、水に接触させるとき、有利な泡発生特性も示す。
【００２３】
本発明の組成物はまた、有利な、水溶解度および水中での溶解速度も有する。便器中などの衛生用途において、ゲル形態の本発明の組成物は、多くの洗い流すプロセスの後でのみ、完全に取り除くことができる。例えば、本発明の組成物４ｇは、１００回より多く、より好ましくは１５０回より多く、さらにより好ましくは１８０回より多く洗い流した後でのみ、完全に取り除くことができる。
【００２４】
好ましくは、本発明の組成物は、成分ａ）である、式（Ｉ）の、１種または複数のアルコールエトキシレート２０〜４０重量％、成分ｂ）である、式（ＩＩ）の、１種または複数のＮ−メチルグルカミド２１〜２９重量％、および成分ｃ）である水３３〜４５重量％を含み、成分ａ）である、式（Ｉ）の、１種または複数のアルコールエトキシレートの量、成分ｂ）である、式（ＩＩ）の、１種または複数のＮ−メチルグルカミドの量、および成分ｃ）である水の量は、組成物の全重量に基づく。
【００２５】
好ましくは、本発明の組成物の成分ａ）である、式（Ｉ）の、１種または複数のアルコールエトキシレートのＲ１は、アルキル基セチルとアルケニル基オレイルとの混合物からなる群から選択される（すなわち、Ｒ１−ＯＨがセチルアルコールとオレイルアルコールとの混合物である）。
【００２６】
一般に、アルコールエトキシレートは、アルコールとエチレンオキシドとの転化生成物である。エチレンオキシドによるアルコールのエトキシル化は、高温、高圧で、および触媒の存在下で生じる。
【００２７】
本発明の組成物の成分ａ）である、式（Ｉ）の、１種または複数のアルコールエトキシレートの合成に用いられる、出発アルコールＲ１−ＯＨ（式中、Ｒ１は、１２〜２２個の、好ましくは１２〜２０個の、より好ましくは１６〜１８個の炭素原子を含む、直鎖状もしくは分枝鎖状の、好ましくは直鎖状の、飽和アルキル基、または１２〜２２個の、好ましくは１２〜２０個の、より好ましくは１６〜１８個の炭素原子を含む、直鎖状もしくは分枝鎖状の、好ましくは直鎖状の、モノ不飽和もしくはポリ不飽和のアルケニル基である）は、３０〜１３５ｇ（Ｊ２）／アルコールＲ１−ＯＨ１００ｇ、好ましくは３６〜１２０ｇ（Ｊ２）／アルコールＲ１−ＯＨ１００ｇ、さらにより好ましくは３７〜１０５ｇ（Ｊ２）／アルコールＲ１−ＯＨ１００ｇ、特に好ましくは５０〜９５ｇ（Ｊ２）／アルコールＲ１−ＯＨ１００ｇ、極めて好ましくは６０〜７５ｇ（Ｊ２）／アルコールＲ１−ＯＨ１００ｇのヨウ素価を有する。
【００２８】
一般に、ヨウ素吸着量とも称されるヨウ素価は、化学物質の不飽和基の割合を示す、重要な特徴パラメーターである。ヨウ素価は、それぞれの化学物質１００ｇに含まれる不飽和基を飽和させるのに必要なヨウ素の重量（ｇ）に等しい。不飽和基が少ない化学物質は、低いヨウ素価を示し、不飽和基が多い化学物質は、高いヨウ素価を有する。カウフマン、ハヌス、またはウィイスの方法など、ヨウ素価決定に利用可能な、いくつかの方法がある。
【００２９】
カウフマン法を用いて、式（Ｉ）のアルコールエトキシレートの基盤となるアルコールＲ１−ＯＨのヨウ素価を決定することができる。この方法によれば、式（Ｉ）のアルコールエトキシレートは、過剰の臭素と混合される。この臭素は、式（Ｉ）の不飽和アルコールエトキシレートの二重結合に付加される。臭素ラジカルの生成が光によって抑えられるので、この反応は、暗い中で実施されねばならない。
Ｂｒ２＋Ｒａ−ＣＨ＝ＣＨ−Ｒｂ→Ｒａ−ＣＨＢｒ−ＣＨＢｒ−Ｒｂ
【００３０】
次いで、未反応の臭素は、ヨウ化物イオンで臭化物イオンに還元される。
Ｂｒ２＋２Ｉ−→Ｉ２＋２Ｂｒ−
【００３１】
最後に、生成されたヨウ素の量は、チオ硫酸ナトリウム溶液を用いた滴定法によって測定される。
Ｉ２＋２Ｓ２Ｏ３２−→２Ｉ−＋Ｓ４Ｏ６２−
【００３２】
滴定法の結果により、式（Ｉ）のアルコールエトキシレートのヨウ素価がもたらされる。ヨウ素価は、式（Ｉ）のアルコールエトキシレートおよび式（Ｉ）のアルコールエトキシレートの基盤となるアルコールＲ１−ＯＨの、それぞれのモル質量を用いて再計算され、式（Ｉ）のアルコールエトキシレートの基盤となるアルコールＲ１−ＯＨに関係づけられる。
【００３３】
本発明の文脈において、所与のヨウ素価は、本発明の組成物の、式（Ｉ）のアルコールエトキシレートと関係するのではなく、アルコールエトキシレートの基盤となるそれぞれのアルコールＲ１−ＯＨに関係し、カウフマン法を用いて決定される。所与のヨウ素価は、さらに、本発明の組成物の成分ａ）である、式（Ｉ）の、１種または複数のアルコールエトキシレートの基盤となるアルコールＲ１−ＯＨの全量に関係する。これによれば、例えば、所与のヨウ素価は、アルコールＲ１−ＯＨの混合物に関係することができる。
【００３４】
好ましくは、本発明の組成物の成分ａ）である、式（Ｉ）の、それぞれのアルコールエトキシレートの基盤となるアルコールＲ１−ＯＨは、３７〜１０５ｇ（Ｊ２）／アルコールＲ１−ＯＨ１００ｇ、より好ましくは５０〜９５ｇ（Ｊ２）／アルコールＲ１−ＯＨ１００ｇ、さらにより好ましくは６０〜７５ｇ（Ｊ２）／アルコールＲ１−ＯＨ１００ｇのヨウ素価を有する。
【００３５】
好ましくは、本発明の組成物の成分ａ）である、式（Ｉ）の、１種または複数のアルコールエトキシレートにおいて、ｎは、モル平均で、８〜２２の数である。
【００３６】
より好ましくは、本発明の組成物の成分ａ）である、式（Ｉ）の、１種または複数のアルコールエトキシレートにおいて、ｎは、モル平均で、１０〜２０の数である。
【００３７】
好ましくは、本発明の組成物の成分ｂ）である、式（ＩＩ）の、１種または複数のＮ−メチルグルカミドにおいて、ＲＣＯは、７〜１７個の炭素原子を含む、直鎖状飽和アルキル基Ｒ、および１７個の炭素原子を含む、直鎖状の、モノ不飽和またはポリ不飽和の、好ましくはモノ不飽和の、アルケニル基Ｒを含む、アシル基である。
【００３８】
より好ましくは、本発明の組成物の成分ｂ）である、式（ＩＩ）の、１種または複数のＮ−メチルグルカミドにおいて、ＲＣＯはココイル基である。
【００３９】
本発明の別の好ましい実施形態において、本発明の組成物の成分ｂ）である、式（ＩＩ）の、１種または複数のＮ−メチルグルカミドのＲは、１１〜１７個の、好ましくは１５〜１７個の炭素原子を含む、直鎖状もしくは分枝鎖状の、好ましくは直鎖状の、飽和アルキル基、または１１〜１７個の、好ましくは１５〜１７個の炭素原子を含む、直鎖状もしくは分枝鎖状の、好ましくは直鎖状の、モノ不飽和もしくはポリ不飽和のアルケニル基である。
【００４０】
本発明の組成物は、成分ａ）、成分ｂ）、および成分ｃ）に加えて、１種または複数の、追加の物質を含むことができる。
【００４１】
本発明の好ましい一実施形態において、本発明の組成物は、他の非イオン性界面活性剤、カチオン性界面活性剤、アニオン性界面活性剤、両性界面活性剤、常用のものであり、それぞれの場合で特定のものである、添加剤および助剤、例えば、溶解時間制御のための添加剤、性能改善のための添加剤（例えば、ソイルリリースポリマー（ｓｏｉｌ  ｒｅｌｅａｓｅ  ｐｏｌｙｍｅｒ）、染料定着剤、移染防止剤、漂白系、殺生物剤もしくは抗菌成分、またはビルダー）、あるいは洗浄助剤（例えば、酵素、酵素安定剤、防腐剤、発泡増進剤、発泡防止剤、腐食防止剤、光学的光沢剤、ＵＶ吸収剤、アルカリ、屈水性化合物、酸化防止剤、溶媒、塩もしくは増量剤、分散剤、退色防止剤、柔軟剤、帯電防止剤、染料、香料もしくは香水）、染料、顔料、着色剤、あるいは真珠光沢剤からなる群から選択される、１種または複数の物質を含む。
【００４２】
本発明の組成物に含むことができる、他の非イオン性界面活性剤は、アルカノールアミド、アルキルジメチル−アミンオキシド、ジ−アルキル−メチルアミンオキシド、アルキルアミドプロピル−アミンオキシド、本発明の組成物の成分ｂ）のものとは異なる脂肪酸−Ｎ−メチルグルカミド、アルキルポリグルコシド、オキサルキル化（ｏｘａｌｋｙｌａｔｅｄ）脂肪酸、本発明の組成物の成分ａ）のものとは異なるアルコキシル化アルコール（アルキルエーテル、アルキルポリエチレングリコールエーテル、脂肪アルコールポリグリコールエーテル）、（ＥＯ／ＰＯ）エトキシル化／プロポキシル化ブロックコポリマー、オキサルキル化脂肪酸エステル、およびオキサルキル化アルキルアミンである。対応する不飽和基で完全にまたは部分的に置換されてもよい、これらの化合物の、アルキル基および脂肪酸基は、８〜２２個の炭素原子を含むことができ、直鎖状または分枝鎖状であってもよい。オキサルキル化は、好ましくは、エチレンオキシドもしくはプロピレンオキシド、またはそれらの混合物１〜２０単位を含む生成物を意味する。
【００４３】
本発明の組成物に添加することができる、１種または複数の、他の非イオン性界面活性剤の量は、好ましくは、０．１〜５０重量％、より好ましくは０．５〜２５重量％である。
【００４４】
カチオン性界面活性剤として、第四級アンモニウム化合物、例えば、アルキルジメチル−ヒドロキシエチル−アンモニウムを用いることができる。アルキルの代わりに、これらのアンモニウム化合物は、アルケニル基または両方の混合物を含むこともできる。アルキル基およびアルケニル基は、８〜２２個の炭素原子を含むことができる。それらは、直鎖状または分枝鎖状であってもよい。好ましいアンモニウム化合物は、Ｃ８〜Ｃ２２−アルキル−ジメチル−ヒドロキシエチル−アンモニウム化合物またはＣ８〜Ｃ２２−アルケニル−ジメチル−ヒドロキシエチル−アンモニウム化合物である。特に好ましいアンモニウム化合物は、Ｃ１２／Ｃ１４−アルキルジメチルヒドロキシエチルアンモニウム化合物である。全ての前述のアンモニウム化合物は、任意の種類のアニオンを含むことができ、好ましいアニオンは、塩化物イオン、臭素イオン、酢酸イオン、乳酸イオン、硫酸イオン、またはメト硫酸イオンである。極めて好ましいアンモニウム化合物は、Ｃ１２／Ｃ１４−アルキルジメチルヒドロキシエチルアンモニウムクロリドである。
【００４５】
アニオン性界面活性剤は、アルキル硫酸塩、アルキルエーテル硫酸塩、アルキルアリールスルホン酸塩、例えば、直鎖アルキルベンゼンスルホン酸塩（ＬＡＳ）、脂肪酸石鹸、メチルエステルスルホン酸塩、パラフィンスルホン酸塩、オレフィンスルホン酸塩、アルコールエトキシ硫酸塩、モノアルキルスルホコハク酸塩およびジアルキルスルホコハク酸塩、モノアルキルスルホスクシナメート（ｓｕｌｆｏｓｕｃｃｉｎａｍａｔｅ）およびジアルキルスルホスクシナメート、スルホトリグリセリド、アミド石鹸、エーテルカルボン酸、およびその塩、脂肪酸イセチオン酸塩、脂肪酸サルコシン酸塩、脂肪酸タウリド（ｔａｕｒｉｄｅ）、Ｎ−アシルアミノ酸、例えば、アシル乳酸塩、アシル酒石酸塩、アシルグルタミン酸塩、およびアルキルオリゴグルコシド硫酸塩からなる群から選択することができる。
【００４６】
さらに、本発明の組成物は、両性界面活性剤０．１〜１２重量％、好ましくは０．２〜１０重量％を含むことができる。両性界面活性剤は、アルキルアミドプロピルベタイン、アルキルジメチルベタイン、アルキルアンホ酢酸塩、またはアルキルアンホ二酢酸塩であってもよい。アルケニル基で部分的にまたは完全に置換されてもよい、これらの化合物のアルキル基は、８〜２２個の炭素原子を含むことができ、直鎖状または分枝鎖状であってもよい。ポリアルキレングリコール基は、１〜２０個のエトキシ単位および／またはプロポキシ単位を含むことができる。
【００４７】
使用目的に応じて、本発明の配合物は、上記界面活性剤に加えて、常用のものであり、それぞれの場合で特定のものである、添加剤および助剤、例えば、溶解時間制御のための添加剤、または性能改善のための添加剤を含むことができる。
【００４８】
好適な、溶解時間制御のための添加剤は、エタノール、イソプロパノール；ブチルグリコール；ジ−ブチルグリコール；モノ−Ｃ２〜Ｃ５アルキレングリコール、ジ−Ｃ２〜Ｃ５アルキレングリコール、トリ−Ｃ２〜Ｃ５アルキレングリコール、またはテトラ−Ｃ２〜Ｃ５アルキレングリコール、例えば、エチレングリコールまたはプロピレングリコール、特にモノ−プロピレングリコール、ジ−プロピレングリコール、トリ−プロピレングリコール、またはテトラ−プロピレングリコール；少なくとも４００の分子量を有するポリエチレングリコール（ＰＥＧ）、特に６，０００〜３５，０００の範囲の分子量のＰＥＧ；グリセロール；糖類；およびそれらの混合物である。本発明の好ましい一実施形態において、プロピレングリコールおよびグリセロールが好ましい。
【００４９】
好適な、性能改善のための添加剤には、ソイルリリースポリマー、染料定着剤、移染防止剤、漂白系、殺生物剤もしくは抗菌成分、またはビルダーが挙げられる。
【００５０】
好適なソイルリリースポリマーは、アクリル酸とマレイン酸とのコポリマー（Ｓｏｋａｌａｎ（登録商標）ＣＰ、ＢＡＳＦ）、ビニルピロリドン、ビニルイミダゾール、および非イオン性モノマーのホモポリマーおよびコポリマー（Ｓｏｋａｌａｎ（登録商標）ＨＰ、ＢＡＳＦ）、アクリル酸のホモポリマー（Ｓｏｋａｌａｎ（登録商標）ＰＡ、ＢＡＳＦ）、ポリエチレンテレフタレート（ＰＥＴ）、ならびにポリオキシエチレンテレフタレート（ＰＯＥＴ）（Ｔｅｘｃａｒｅ（登録商標）製品、Ｃｌａｒｉａｎｔ）である。さらに好適なソイルリリースポリマーは、例えば、セルロースエーテル、または二塩基性カルボン酸および２個以上のヒドロキシル基を有する反応物に基づく重縮合物である。用いられる二塩基性カルボン酸は、典型的にはテレフタル酸である。このソイルリリースポリマーは、非イオン性またはアニオン性であってもよい。
【００５１】
本発明の組成物に取り込むことができる染料定着剤は、非イオン性またはカチオン性であり、以下に記載されるものである。
染料定着剤として用いられる重縮合物は、シアナミドと、アルデヒドならびにアンモニウム塩および／もしくはモノアミンとの反応によって（例えば、染料定着剤ＤＦ３）、モノアミンおよび／もしくはポリアミンと、エピクロロヒドリンとの反応によって（例えば、染料定着剤ＤＦ２および染料定着剤ＤＦ４）、またはポリアミンとシアナミドおよびアミド硫酸との反応によって（例えば、染料定着剤ＤＦ１）得られる。用いられるモノアミンは、第一級アミン、第二級アミン、または第三級アミンであってもよい。それらは、脂肪族アミン、例えば、ジアルキルアミン、とりわけジメチルアミン、脂環式アミン、例えば、シクロヘキシルアミン、および芳香族アミン、例えば、アニリンであってもよい。しかし、用いられるアミンはまた、同時に、脂肪族、脂環式、および芳香族の置換基を含むことができる。さらに、複素環式化合物、例えば、ピリジンを用いることも可能である。
【００５２】
ここで、用語「ポリアミン」には、例えば、ジアミン、トリアミン、テトラアミンなど、および類似のＮ−アルキルポリアミンおよびＮ，Ｎ−ジアルキルポリアミンが含まれる。その例は、エチレンジアミン、プロピレンジアミン、ブチレンジアミン、ペンチレンジアミン、ヘキシレンジアミン、ジエチレントリアミン、トリエチレンテトラアミン、および高級ポリアミン（ｈｉｇｈｅｒ  ｐｏｌｙａｍｉｎｅ）である。特に好ましいポリアミンは、エチレンジアミン、ジエチレントリアミン、およびジメチルアミノプロピルアミンである。アンモニウム塩は、アンモニアの塩、とりわけ塩化アンモニウム、または様々な無機酸もしくは有機酸を含む、前述のアミンもしくはポリアミン、またはそれ以外では第四級アンモニウム塩である。
【００５３】
シアナミドは、シアナミドまたはジシアンジアミドであってもよい。
【００５４】
染料定着剤の合成に用いることが可能なアルデヒドは、例えば、脂肪族アルデヒド、例えば、ホルムアルデヒド、アセトアルデヒド、プロピオンアルデヒド、ブチルアルデヒド、ジアルデヒド、例えば、グリオキサル、不飽和アルデヒド、例えば、アクロレイン、クロトンアルデヒド、および芳香族アルデヒド、例えば、ベンズアルデヒドである。特に好ましいのは、脂肪族アルデヒド、とりわけホルムアルデヒドである。
【００５５】
用いられる染料定着剤は、ジアリルジメチルアンモニウムクロリド（ＤＡＤＭＡＣ）に基づくホモポリマーおよびコポリマーであってもよい（例えば、染料定着剤ＤＦ５、染料定着剤ＤＦ６、および染料定着剤ＤＦ７）。
【００５６】
ＤＡＤＭＡＣに基づくコポリマーは、さらなる成分として、他のビニルモノマー、例えば、ビニルイミダゾール、ビニルピロリドン、ビニルアルコール、酢酸ビニル、（メタ）アクリル酸／エステル、アクリルアミド、スチレン、スチレンスルホン酸、アクリルアミドメチルプロパンスルホン酸などを含む。ＤＡＤＭＡＣに基づくホモポリマーは、商品名Ｄｏｄｉｇｅｎ（登録商標）３９５４、Ｄｏｄｉｇｅｎ（登録商標）４０３３、およびＧｅｎａｍｉｎ  ＰＤＡＣ（Ｃｌａｒｉａｎｔ製）で入手可能である。
【００５７】
漂白系、例えば無機ペルオキシゲン化合物、とりわけ過酸化水素、および水中に過酸化水素を放出しながら溶解する固体ペルオキシゲン化合物、例えば、過ホウ酸ナトリウムおよび過炭酸ナトリウム（ｓｏｄｉｕｍ  ｃａｒｂｏｎａｔｅ  ｐｅｒｈｙｄｒａｔｅ）およびそれらの混合物、ならびに漂白活性剤、例えば、Ｎ−アシル化合物またはＯ−アシル化合物の物質類からのもの、例えば、ポリアシル化アルキレンジアミン、とりわけテトラアセチルエチレン−ジアミン、およびテトラアセチルグリコールウリル、Ｎ−アシル化ヒダントイン、ヒドラジド、トリアゾール、ヒドロトリアジン、ウラゾール、ジケトピペラジン、スルフリルアミド、およびシアヌル酸塩、また無水カルボン酸、とりわけ無水フタル酸、および置換無水マレイン酸、カルボン酸エステル、とりわけアセトキシベンゼンスルホン酸ナトリウム、ベンゾイルオキシベンゼンスルホン酸ナトリウム（ＢＯＢＳ）、ノナノイルオキシベンゼンスルホン酸ナトリウム（ＮＯＢＳ）、イソノナノイルオキシベンゼンスルホン酸ナトリウム（ＩＳＯＮＯＢＳ）、ならびにアシル化糖類誘導体、例えば、ペンタアセチルグルコース、およびその混合物。
【００５８】
殺生物剤または抗菌成分は、表面に存在する微生物を、殺すか、または取り除くことによって、減らすか、または排除する能力を有する、任意の既知の成分である。本明細書で有用な殺生物剤または抗菌成分には、アルコール、アルデヒド、ホルムアルデヒド放出化合物、フェノール類、酸エステル  カルバミン酸塩、アミド、ジベンズアミド、ピリジン誘導体、および関連する化合物、アゾール、複素環式Ｎ，Ｓ化合物、Ｎハロアルキルチオ化合物、活性化ハロゲン原子を含む化合物、表面活性剤、有機金属化合物、チオシアン酸塩、ビフェニル、トリアジン、酸化剤、およびそれらの混合物が挙げられる。
【００５９】
好適なビルダーは、有機ビルダーおよび無機ビルダーであり、カルシウムイオンを沈殿させ、またはカルシウムイオンと結合して錯体を形成することができる、中性、または特にアルカリ性の塩である。好適な、特に生態学的に許容できるビルダー物質、例えば細かい結晶性の、合成含水ゼオライト、好ましくはＣａＯ１００〜２００ｍｇ／ｇの範囲のカルシウム結合能を有するＮａＡ型を用いるのが好ましい。ゼオライトおよびフィロケイ酸塩は、組成物中に、２０重量％までの量で存在することができる。用いることが可能な有機ビルダーは、例えば、アミノカルボン酸、有機アミノホスホン酸化合物、およびそれらの混合物からなる群である。例えば、ホスホン酸またはカルボン酸の官能基を含み、本来酸性である、それらの成分は、その酸の形態で、あるいは好適な対カチオン、例えば、アルカリイオンもしくはアルカリ金属イオン、アンモニウムイオンもしくは置換アンモニウムイオン、またはその任意の混合物との、錯体／塩として存在することができる。本明細書で用いられる好適な成分には、アミノカルボン酸、例えば、エチレンジアミン−Ｎ，Ｎ’−ジコハク酸（ＥＤＤＳ）、エチレンジアミン四酢酸（ＥＤＴＡ）、Ｎ−ヒドロキシエチレンジアミン三酢酸、ニトリロ三酢酸（ＮＴＡ）、エチレンジアミンテトラプロピオン酸、エチレンジアミン−Ｎ，Ｎ’−ジグルタミン酸、２−ヒドロキシプロピレンジアミン−Ｎ，Ｎ’−ジコハク酸、トリエチレンテトラアミン六酢酸、ジエチレントリアミン五酢酸（ＤＥＴＰＡ）、ｔｒａｎｓ１，２ジアミノシクロヘキサン−Ｎ，Ｎ，Ｎ’，Ｎ’−四酢酸、またはエタノールジグリシンが挙げられる。本明細書で用いられる、他の好適な成分には、有機アミノホスホン酸、例えば、エチレンジアミンテトラキス（メチレンホスホン酸）、ジエチレントリアミン−Ｎ，Ｎ，Ｎ’，Ｎ’’，Ｎ’’−ペンタキス（メチレンホスホン酸）（ＤＥＴＭＰ）、１−ヒドロキシエタン１，１−ジホスホン酸（ＨＥＤＰ）、またはヒドロキシエタンジメチレンホスホン酸が挙げられる。ポリマー性カルボン酸塩およびその塩を用いることも可能である。これには、例えば、ホモポリマー性またはコポリマー性の、ポリアクリル酸塩、ポリメチルアクリル酸塩の塩、特にアクリル酸とマレイン酸とのコポリマー、またポリビニルピロリドンおよびウレタンが挙げられる。遊離酸に基づいて、ホモポリマーの相対的な分子量は、一般に、１０００〜１００，０００の間であり、コポリマーの相対的な分子量は、２０００〜２００，０００の間、好ましくは５０，０００〜１２０，０００であり、特に、例えば、１００万を超える相対分子量を有する、糖類ポリアリルエーテルのおよそ１％と架橋結合した、水溶性ポリアクリル酸塩も好適である。その例は、名称Ｃａｒｂｏｐｏｌ（登録商標）９４０およびＣａｒｂｏｐｏｌ（登録商標）９４１で入手可能なポリマーである。
【００６０】
一般に、少ない使用濃度で追加的に含まれるものは、用語「洗浄助剤」でまとめることができる付加的な構成成分であり、したがって付加的な構成成分は、例えば、酵素、とりわけプロテアーゼ、リパーゼ、セルラーゼ、アミラーゼ、およびマンナナーゼ；酵素安定剤；防腐剤；発泡増進剤；シリコーン油またはパラフィンなどの発泡防止剤；腐食防止剤；光学的光沢剤；ＵＶ吸収剤；アルカリ；屈水性化合物；酸化防止剤；溶媒；塩または増量剤；分散剤；退色防止剤；柔軟剤；帯電防止剤；染料、香料および香水などの様々な活性物質群を含む。
【００６１】
好適な酵素は、プロテアーゼ、リパーゼ、アミラーゼ、およびそれらの混合物の類からのものである。その割合は、０．１〜１重量％であってもよい。酵素は、担体物質に吸収されてもよく、および／またはコーティング物質に埋め込まれてもよい。
【００６２】
好適な防腐剤は、例えば、フェノキシエタノール、ホルムアルデヒド溶液、ペンタンジオール、またはソルビン酸である。
【００６３】
本発明のさらに好ましい一実施形態において、本発明の組成物は、追加的に、１種または複数の溶媒、好ましくはエチレングリコール、プロピレングリコール、ポリエチレングリコール、およびポリプロピレングリコールの低級アルキルエーテルを含む。「低級アルキル」は、好ましくは１〜４個の炭素原子を含むアルキル基を意味する。
【００６４】
好適な塩または増量剤は、例えば、塩化ナトリウム、硫酸ナトリウム、炭酸ナトリウム、ケイ酸ナトリウム（水ガラス）、塩化マグネシウム、または硫酸マグネシウムである。
【００６５】
本発明の組成物の審美性は、染料、顔料、着色剤、または真珠光沢剤を添加することによって、さらに高めることができる。染料の典型的な例は、メチレンブルー（ベーシックブルー９）、ダイレクトイエロー５０、ソルベントレッド１７、リアクティブグリーン１２（フタロシアニン、Ｃｌａｒｉａｎｔ）である。
【００６６】
本発明のより好ましい一実施形態において、本発明の組成物は、防腐剤、抗菌成分、酵素、移染防止剤、ソイルリリースポリマー、カチオン性界面活性剤、アニオン性界面活性剤、両性界面活性剤、プロピレングリコール、グリセロール、染料、顔料、および香料からなる群から選択される、１種または複数の物質を含む。
【００６７】
本発明の、さらにより好ましい一実施形態において、本発明の組成物は、プロピレングリコールおよびグリセロールからなる群から選択される、１種または複数の物質を含む。
【００６８】
好ましくは、本発明の組成物は、温度２０℃で、固体である。
【００６９】
より好ましくは、本発明の組成物は、温度２０℃で、ゲル形態で、またはペースト形態で、好ましくはゲル形態で存在する。温度２０℃で、ゲル形態で存在する、本発明の組成物の中でも、モノドース（ｍｏｎｏｄｏｓｅ）形式の、またはモノドース製品の形態の、本発明の組成物によって、本発明の好ましい一実施形態が構成される。
【００７０】
さらにより好ましくは、温度２０℃およびせん断応力１０００Ｐａで測定された、本発明の組成物の粘度は、１０〜１０００００Ｐａ・ｓ、好ましくは１０〜２５０００Ｐａ・ｓである。
【００７１】
本発明の特に好ましい一実施形態において、本発明の組成物は、ペースト形態で存在し、温度２０℃およびせん断応力１０００Ｐａで測定された、これらの本発明の組成物の粘度は、１０〜２００Ｐａ・ｓである。
【００７２】
本発明の特に好ましい他の実施形態において、本発明の組成物は、ゲル形態で存在し、温度２０℃およびせん断応力１０００Ｐａで測定された、これらの本発明の組成物の粘度は、３００〜１０００００Ｐａ・ｓ、好ましくは３００〜２５０００Ｐａ・ｓである。
【００７３】
本発明の組成物の粘度は、２０℃で、３５ｍｍプレート−プレート配列を有するレオメーターＨａａｋｅ  Ｍａｒｓ  ＩＩＩ（Ｔｈｅｒｍｏｆｉｓｈｅｒ  Ｓｃｉｅｎｔｉｆｉｃ）を用いて測定される。
【００７４】
とりわけ好ましい本発明の組成物は、定常状態のとき、粘弾性特性および非流動を示す。
【００７５】
本発明の好ましい一実施形態において、本発明の組成物は、モノドース製品の形態で、より好ましくはモノドース製品の形態で、および温度２０℃で、ゲル形態で存在する。
【００７６】
好ましくは、温度２０〜４０℃の水中での本発明の組成物の平均溶解速度は、１〜１００ｍｇ／分、好ましくは１０〜８０ｍｇ／分である。
【００７７】
さらに好ましくは、水中での本発明の組成物の平均溶解速度は、温度２０℃で、１〜４０ｍｇ／分、好ましくは１０〜４０ｍｇ／分であり、温度３０〜４０℃で、４０〜１００ｍｇ／分、好ましくは４０〜８０ｍｇ／分である。
【００７８】
好ましくは、本発明の組成物は、垂直面に、より好ましくはセラミックス、プラスチック、またはステンレス鋼でつくられた垂直面に、粘着する。
【００７９】
好ましくは、本発明の組成物は、水ですすぐかまたは洗い流したとき、泡を生じる。
【００８０】
好ましくは、温度２０℃で、ゲル形態で、またはペースト形態で、より好ましくはゲル形態で存在する、本発明の組成物は、好ましくは、本発明の組成物の成分ａ）、成分ｂ）、および成分ｃ）を、温度４５〜８０℃で、より好ましくは５０〜７５℃で、好ましくは混合しながら、均一な溶融物が得られるまで加熱し、その後、均一な溶融物を温度２０〜４０℃まで冷却することによって得られる。
【００８１】
本発明の好ましい一実施形態において、好ましくは、温度２０℃で、ゲル形態で、またはペースト形態で、より好ましくはゲル形態で存在する、本発明の組成物は、成分ａ）、成分ｂ）、および成分ｃ）に加えて、１種または複数の、追加の物質を含み、１種または複数の、追加の物質を、成分ａ）、成分ｂ）、および成分ｃ）を加熱するステップの前、もしくは加熱するステップの間、または均一な溶融物を冷却するステップの間のいずれかで添加することによって得られる。
【００８２】
成分ａ）、成分ｂ）、および成分ｃ）で構成される、本発明の組成物は、一般にゲル形態で存在する。組成物は、成分ａ）、成分ｂ）、および成分ｃ）に加えて、適度な量の、追加の物質、例えば、１０重量％以下の量の、好ましくは８重量％以下の量の、プロピレングリコールおよびグリセロールを含む場合も、やはりゲル形態で存在することができる。本発明の組成物は、成分ａ）、成分ｂ）、および成分ｃ）に加えて、相対的に大量の追加の物質を含む場合、ペースト形態で存在する可能性がある。ペーストは、アニオン性界面活性剤が本発明の組成物中に存在し、また適度な量で存在する場合、例えば、２個のエチレンオキシド単位を含む、ラウリルエーテル硫酸ナトリウムなどのアニオン性界面活性剤がおよそ１０重量％の量で含まれる場合にも得ることができる。
【００８３】
本発明のさらに好ましい一実施形態において、本発明の組成物は、成分ａ）、成分ｂ）、および成分ｃ）で構成される。本発明の別の好ましい実施形態において、本発明の組成物は、成分ａ）、成分ｂ）、および成分ｃ）、ならびに場合により、成分ａ）、成分ｂ）、および成分ｃ）に加えて、１種または複数の、追加の物質を含み、この１種または複数の、追加の物質は、含まれるならば、好ましくは、本発明の組成物中に、４０重量％以下の量で、より好ましくは１０重量％以下の量で、さらにより好ましくは８重量％以下の量で含まれる。１種または複数の、追加の物質の量は組成物の全重量に基づく。１種または複数の、追加の物質を含む、本発明の組成物の中でも、プロピレングリコールおよびグリセロールからなる群から選択される、１種または複数の物質を含む、本発明の組成物が好ましい。本発明の特に好ましい一実施形態において、本発明の組成物は、成分ａ）、成分ｂ）、および成分ｃ）、ならびにプロピレングリコールおよびグリセロールからなる群から選択される、１種または複数の、追加の物質で構成される。
【００８４】
本発明の組成物は、有利なことに、洗浄、芳香、または消毒の目的で、好ましくはホームケア用途またはパーソナルケア用途で好適である。
【００８５】
したがって、本発明の、さらなる一主題は、好ましくはホームケア用途またはパーソナルケア用途における、洗浄、芳香、または消毒の目的での本発明の組成物の使用である。
【００８６】
成分ａ）である、式（Ｉ）の、１種または複数のアルコールエトキシレート、および成分ｂ）である、式（ＩＩ）の、１種または複数のＮ−メチルグルカミドの存在のために、成分ａ）、成分ｂ）、および成分ｃ）で構成される本発明の組成物、すなわち成分ａ）、成分ｂ）、および成分ｃ）に加えて、さらなる物質を含まない本発明の組成物は、洗浄目的または洗浄用途に用いることができる。しかし、やはり、この目的または用途のために、本発明の組成物に、成分ａ）、成分ｂ）、および成分ｃ）に加えて、さらなる物質を添加することも可能である。芳香または消毒の、目的または用途について、本発明の組成物の、成分ａ）、成分ｂ）、および成分ｃ）は、例えば、ベース組成物または「シャーシ（ｃｈａｓｓｉｓ）」として用いることができ、すなわち、この目的または用途のために、本発明の組成物は、成分ａ）、成分ｂ）、および成分ｃ）に加えて、それぞれの活性を有する成分、例えば、香水または消毒特性を有する成分などの、追加の物質を含んでもよい。
【００８７】
本発明の使用の中で、本発明の組成物は、好ましくは、セラミックス、プラスチック、もしくはステンレス鋼でつくられた表面に、より好ましくはトイレのセラミックスに適用され、または洗濯機もしくは食洗機に適用される。
【００８８】
ペースト形態で存在する、本発明の組成物は、好ましくは、食器手洗い、洗濯、および硬表面洗浄の用途で用いることができる。
【００８９】
ゲル形態で存在する、本発明の組成物は、好ましくは、洗濯、自動食器洗い、食器手洗い、硬表面洗浄、トイレ、エアケア、およびパーソナルケアの用途で用いることができる。
【００９０】
既に説明されたように、温度２０℃で、好ましくはゲル形態で、またはペースト形態で、より好ましくはゲル形態で存在する、本発明の組成物は、本発明の組成物の成分ａ）、成分ｂ）、および成分ｃ）を、温度４５〜８０℃で、好ましくは５０〜７５℃で、好ましくは混合しながら、均一な溶融物が得られるまで加熱し、その後、均一な溶融物を温度２０〜４０℃まで冷却することによって調製することができる。本発明の組成物は、成分ａ）、成分ｂ）、および成分ｃ）に加えて、１種または複数の、追加の物質を含むことができる。本発明の組成物を調製する方法において、成分ａ）、成分ｂ）、および成分ｃ）に加えた、この１種または複数の、追加の物質は、成分ａ）、成分ｂ）、および成分ｃ）を加熱するステップの前、もしくは加熱するステップの間、または均一な溶融物を冷却するステップの間のいずれかで添加することができる。
【００９１】
したがって、本発明の、さらなる一主題は、好ましくは、温度２０℃で、ゲル形態で、またはペースト形態で、より好ましくはゲル形態で存在する、本発明の組成物を調製する方法であって、本発明の組成物の、成分ａ）、成分ｂ）、および成分ｃ）を、温度４５〜８０℃で、好ましくは５０〜７５℃で、好ましくは混合しながら、均一な溶融物が得られるまで加熱し、その後、均一な溶融物を温度２０〜４０℃まで冷却する、方法である。
【００９２】
本発明の方法の好ましい一実施形態において、成分ａ）、成分ｂ）、および成分ｃ）に加えて、１種または複数の、追加の物質を含み、好ましくは、温度２０℃で、ゲル形態で、またはペースト形態で、より好ましくはゲル形態で存在する、本発明の組成物が調製され、本発明の方法において、成分ａ）、成分ｂ）、および成分ｃ）に加えた、１種または複数の、追加の物質は、成分ａ）、成分ｂ）、および成分ｃ）を加熱するステップの前、もしくは加熱するステップの間、または均一な溶融物を冷却するステップの間のいずれかで添加される。
【００９３】
以下の例は、それに限定されることなく、本発明をより詳細に説明するものである。全ての量は、重量％（ｗｔ．−％）として与えられる。
【００９４】
例において、以下の物質を用いた。
Ｄｏｄｉｇｅｎ（登録商標）２２６  ココスアルキルジメチルベンジルアンモニウムクロリド（Ｃｌａｒｉａｎｔ、水中５０ｗｔ．−％）
Ｇｅｎａｐｏｌ（登録商標）Ｏ１００  １０個のエチレンオキシド（ＥＯ）単位を含むセチルオレイルアルコールエトキシレート（Ｃｌａｒｉａｎｔ、１００ｗｔ．−％；Ｇｅｎａｐｏｌ（登録商標）Ｏ１００の基盤となるアルコールに関係したヨウ素価：６０〜７５ｇ（Ｊ２）／アルコール１００ｇ）
Ｇｅｎａｐｏｌ（登録商標）Ｏ２００  ２０個のエチレンオキシド（ＥＯ）単位を含むセチルオレイルアルコールエトキシレート（Ｃｌａｒｉａｎｔ、１００ｗｔ．−％；Ｇｅｎａｐｏｌ（登録商標）Ｏ２００の基盤となるアルコールに関係したヨウ素価：６０〜７５ｇ（Ｊ２）／アルコール１００ｇ）
Ｇｅｎａｐｏｌ（登録商標）Ｔ２５０  ２５個のエチレンオキシド（ＥＯ）単位を含む獣脂アルキルエトキシレート（Ｔａｌｌｏｗ  ａｌｋｙｌ  ｅｔｈｏｘｙｌａｔｅ）（Ｃｌａｒｉａｎｔ、１００ｗｔ．−％；Ｇｅｎａｐｏｌ（登録商標）Ｔ２５０の基盤となるアルコールに関係したヨウ素価：＜１ｇ（Ｊ２）／アルコール１００ｇ）
Ｇｌｕｃｏｐｕｒｅ（登録商標）Ｆｏａｍ  ココイルＮ−メチルグルカミド（Ｃｌａｒｉａｎｔ、水ならびに少量のプロピレングリコールおよびグリセロール中４０ｗｔ．−％）
Ｇｌｕｃｏｐｕｒｅ（登録商標）Ｗｅｔ  Ｎ−Ｃ８／Ｃ１０アシルＮ−メチルグルカミド（Ｃｌａｒｉａｎｔ、水および少量のプロピレングリコール中５０ｗｔ．−％）
【００９５】
「セチルオレイルアルコール」は、セチルアルコールとオレイルアルコールとの混合物を示す。
【００９６】
Ｇｌｕｃｏｐｕｒｅ（登録商標）ＦｏａｍのココイルＮ−メチルグルカミドの基盤となる脂肪酸Ｒ−ＣＯＯＨは、直鎖状Ｃ８〜Ｃ１８脂肪酸である。Ｇｌｕｃｏｐｕｒｅ（登録商標）ＦｏａｍのココイルＮ−メチルグルカミドの基盤となる脂肪酸Ｒ−ＣＯＯＨのおよそ８６ｗｔ．−％において、残基Ｒは、１１〜１７個の炭素原子を有する直鎖状飽和アルキル基、および１７個の炭素原子を有する直鎖状モノ不飽和アルケニル基からなる群から選択される。
【００９７】
以下の表１において、「ｎａ」は、「適用せず」を意味する。
【００９８】
【表１】
2019528339.tif 000004
【００９９】
本発明の例１、例２、例４、および例６の組成物、ならびに比較例３および比較例５の組成物を、以下のように調製した：成分ａ）、成分ｂ）、および成分ｃ）を混合し、均一な溶融物が得られるまで５５〜７５℃まで加熱した。その後、均一な溶融物を２５℃まで冷却した。
【０１００】
例１、例２、例４、および例６の全てのゲルは、柔らかく、変形可能である。それらは、調製工程の均一な溶融物を、それぞれの形態にキャスト成形すること（ｃａｓｔｉｎｇ）によって、または望ましい形態を得るために、ゲルを切断するか、および／もしくは押し固めることによって、モノドース形式またはモノドース製品に容易に変えることができる。
【０１０１】
例１のゲルをさらに調べた。
例１のゲルは、降伏応力１８１Ｐａを示す。さらに、せん断応力１０００Ｐａでの粘度は、１６０００Ｐａ・ｓである。粘度特性決定は、２０℃で、３５ｍｍプレート−プレートジオメトリーを備えたレオメーターＨａａｋｅ  Ｍａｒｓ  ＩＩＩ（Ｔｈｅｒｍｏｆｉｓｈｅｒ  Ｓｃｉｅｎｔｉｆｉｃ）を用いて行った。
【０１０２】
水中での例１のゲルの平均溶解速度は、温度２０℃で、３３ｍｇ／分であり、温度３０℃〜４０℃の間で、４０〜６０ｍｇ／分である。
【０１０３】
例１のゲルを、モノドース製品として、便器のセラミックスに適用し、ゲルの粘着特性を調べた。そのゲルは、およそ１８０回洗い流す操作をした後でのみ、完全に取り除くことができ、例１のゲルが極めて有利な粘着特性を有することが示される。
【０１０４】
例６の本発明のゲルは、消毒特性を有するココスアルキルジメチルベンジルアンモニウムクロリド０．８ｗｔ．−％を含み、したがって、例６のゲルは、消毒目的のために、または消毒用途で用いることができる。
【国際調査報告】
2019528339.tif 000006
2019528339.tif 000007